【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
遊技機に対応して配置され、遊技者が所有する所有価値を特定可能な遊技用記録媒体を受付け、該受付けられた遊技用記録媒体から特定される前記所有価値を遊技に使用させる使用処理を行なう遊技用装置であって、
前記所有価値を用いて所望の所定価値の物品を交換する場合に少なくとも前記所定価値を特定可能な交換指示を受付ける指示受付手段と、
前記所有価値から前記所定価値を減算した残所有価値を該受付中の遊技用記録媒体から特定可能とするための第１特定処理を実行する第１処理手段と、
前記第１特定処理が実行された後に、該受付中の遊技用記録媒体を排出する第１排出制御手段と、
前記第１排出制御手段により前記受付中の遊技用記録媒体が排出された後に、前記所定価値を新たな遊技用記録媒体から特定可能とするための第２特定処理を実行する第２処理手段と、
前記第２特定処理が実行された後に、該遊技用記録媒体を排出する第２排出制御手段と、
前記交換指示とは異なる特定指示を受付ける特定指示受付手段とを備え、
前記第１処理手段は、前記特定指示を受付けた後に前記交換指示を受付けた場合に、前記第１特定処理を実行する、遊技用装置。
【手続補正２】
【補正対象書類名】明細書
【補正対象項目名】０００８
【補正方法】変更
【補正の内容】
【０００８】
（１）  遊技機（たとえば、パチンコ機２、スロットマシン）に対応して配置され、遊技者が所有する所有価値を特定可能な遊技用記録媒体（たとえば、会員カード、ビジターカード）を受付け、該受付けられた遊技用記録媒体から特定される前記所有価値を遊技に使用させる使用処理を行なう遊技用装置（たとえば、カードユニット３）であって、
前記所有価値を用いて所望の所定価値の物品を交換する場合に少なくとも前記所定価値を特定可能な交換指示を受付ける指示受付手段（たとえば、図３５のステップＳｅ２）と、
前記所有価値から前記所定価値を減算した残所有価値を該受付中の遊技用記録媒体（たとえば、会員カードまたはビジターカード）から特定可能とするための第１特定処理（たとえば、残りの持玉数、カードＩＤの送信、または、残りの持玉数のカードへの書込み）を実行する第１処理手段（たとえば、図３５のステップＳｅ３ｂ〜ステップＳｅ８）と、 
前記第１特定処理が実行された後に、該受付中の遊技用記録媒体を排出する第１排出制御手段（たとえば、図３５のステップＳｅ１１、ステップＳｅ１３）と、
前記第１排出制御手段により前記受付中の遊技用記録媒体が排出された後に、前記所定価値を新たな遊技用記録媒体（たとえば、ビジターカード）から特定可能とするための第２特定処理を実行する第２処理手段（たとえば、図３５のステップＳｅ１４〜ステップＳｅ２０）と、
前記第２特定処理が実行された後に、該遊技用記録媒体を排出する第２排出制御手段（たとえば、図３５のステップＳｅ２２）と、
前記交換指示とは異なる特定指示を受付ける特定指示受付手段とを備え、
前記第１処理手段は、前記特定指示を受付けた後に前記交換指示を受付けた場合に、前記第１特定処理を実行する。
【手続補正３】
【補正対象書類名】明細書
【補正対象項目名】０００９
【補正方法】変更
【補正の内容】
【０００９】
このような構成によれば、所有価値を用いて所望の所定価値の物品を交換する場合に少なくとも所定価値を特定可能な交換指示が受付けられ、所有価値から所定価値を減算した残所有価値を該受付中の遊技用記録媒体から特定可能とするための第１特定処理が実行され、第１特定処理が実行された後に、該受付中の遊技用記録媒体が排出され、受付中の遊技用記録媒体が排出された後に、所定価値を新たな遊技用記録媒体から特定可能とするための第２特定処理が実行され、第２特定処理が実行された後に、該遊技用記録媒体が排出され、交換指示とは異なる特定指示が受付けられ、特定指示を受付けた後に交換指示を受付けた場合に、第１特定処理が実行される。
【手続補正４】
【補正対象書類名】明細書
【補正対象項目名】００１５
【補正方法】変更
【補正の内容】
【００１５】
（４）  上記（１）から（３）のいずれかの遊技用装置において、
前記第１排出制御手段によって受付中の遊技用記録媒体が排出されるときに、所定報知を行なう報知手段（たとえば、図３５のステップＳｅ１２）をさらに備え、
前記報知手段は、前記第１排出制御手段によって受付中の遊技用記録媒体が排出されるときと、前記第２排出制御手段によって前記所定価値を特定可能とされた遊技用記録媒体が排出されるときとで、異なる報知を行なう（たとえば、ステップＳｅ１２、ステップＳｅ２１）。
【手続補正５】
【補正対象書類名】明細書
【補正対象項目名】００１６
【補正方法】変更
【補正の内容】
【００１６】
このような構成によれば、受付中の遊技用記録媒体が排出されるときに、所定報知が行なわれ、受付中の遊技用記録媒体が排出されるときと、所定価値を特定可能とされた遊技用記録媒体が排出されるときとで、異なる報知が行なわれる。このため、いずれの記録媒体が発行されたかを間違えにくくすることができる。
【手続補正６】
【補正対象書類名】明細書
【補正対象項目名】００２０
【補正方法】変更
【補正の内容】
【００２０】
（６）  遊技機（たとえば、パチンコ機２、スロットマシン）に対応して配置され、遊技者が所有する所有価値を特定可能な遊技用記録媒体（たとえば、会員カード、ビジターカード）を受付け、該受付けられた遊技用記録媒体から特定される前記所有価値を遊技に用させる使用処理を行なう遊技用装置（たとえば、カードユニット３）と、遊技者の前記所有価値を管理する管理装置（たとえば、管理コンピュータ１５０）とを含む遊技用システム（たとえば、遊技用システム）であって、
前記遊技用装置は、
前記所有価値を用いて所望の所定価値の物品を交換する場合に少なくとも前記所定価値を特定可能な交換指示を受付ける指示受付手段（たとえば、図３５のステップＳｅ２）と、
前記所有価値から前記所定価値を減算した残所有価値を該受付中の遊技用記録媒体（たとえば、会員カードまたはビジターカード）から特定可能とするための第１特定処理（たとえば、残りの持玉数、カードＩＤの送信、または、残りの持玉数のカードへの書込み 
）を実行する第１処理手段（たとえば、図３５のステップＳｅ３ｂ〜ステップＳｅ８）と、
前記第１特定処理が実行された後に、該受付中の遊技用記録媒体を排出する第１排出制御手段（たとえば、図３５のステップＳｅ１１、ステップＳｅ１３）と、
前記第１排出制御手段により前記受付中の遊技用記録媒体が排出された後に、前記所定価値を新たな遊技用記録媒体（たとえば、ビジターカード）から特定可能とするための第２特定処理（たとえば、残りの持玉数、カードＩＤの送信、または、残りの持玉数のカードへの書込み）を実行する第２処理手段（たとえば、図３５のステップＳｅ１４〜ステップＳｅ２０）と、
前記第２特定処理が実行された後に、該遊技用記録媒体を排出する第２排出制御手段（たとえば、図３５のステップＳｅ２２）と、
前記交換指示とは異なる特定指示を受付ける特定指示受付手段とを備え、
前記第１処理手段は、前記特定指示を受付けた後に前記交換指示を受付けた場合に、前記第１特定処理を実行し、
前記管理装置は、
前記遊技用装置において前記第１特定処理が実行されたことを条件として、当該第１特定処理において遊技用記録媒体から特定可能とされた所有価値を記憶する第１記憶手段（たとえば、図２９（ｂ）のＳｃ２２）と、
前記遊技用装置において前記第２特定処理が実行されたことを条件として、当該第２特定処理において遊技用記録媒体から特定可能とされた所有価値を記憶する第２記憶手段（たとえば、図２９（ｂ）のＳｃ２２）とを備える。
【手続補正７】
【補正対象書類名】明細書
【補正対象項目名】００２１
【補正方法】変更
【補正の内容】
【００２１】
このような構成よれば、遊技用装置によって所有価値を用いて所望の所定価値の物品を交換する場合に少なくとも所定価値を特定可能な交換指示が受付けられ、所有価値から所定価値を減算した残所有価値を該受付中の遊技用記録媒体から特定可能とするための第１特定処理が実行され、第１特定処理が実行された後に、該受付中の遊技用記録媒体が排出され、受付中の遊技用記録媒体が排出された後に、所定価値を新たな遊技用記録媒体から特定可能とするための第２特定処理が実行され、第２特定処理が実行された後に、該遊技用記録媒体が排出され、交換指示とは異なる特定指示が受付けられ、特定指示を受付けた後に交換指示を受付けた場合に、第１特定処理が実行される。